(57)【要約】【課題】  腕時計ケースが合成樹脂製であっても、確実に時計バンドを取り付けることができ、且つ腕の太さに係わらず、フィット性の良い腕時計のバンド取付構造を提供する。【解決手段】  腕時計ケース１の裏面に取り付けられた裏蓋３の両側に、時計バンド５の先カンカバー９の取付位置が調節可能な取付調整部６を設け、この取付調整部６に先カンカバー９を位置調整してばね棒１０で固定する。従って、裏蓋３に対する時計バンド５の取付位置を使用者の腕の太さに応じて調整することができる。このため、使用者の腕の太さが細くても太くても、腕時計ケース１を腕に良好に取り付けることができるので、腕の太さに係わらず、フィット性の良いものを得ることができる。また、金属製の裏蓋３に取付調整部６を設けているので、腕時計ケース１が合成樹脂製であっても、金属製の裏蓋３に時計バンド５を確実に且つ強固に取り付けることができる。【選択図】        図２
2010035797.tif 000002
【特許請求の範囲】
【請求項１】
腕時計ケースと、
この腕時計ケースの裏面に取り付けられ、且つ両側に取付位置が調節可能な取付調整部が設けられた金属製の裏蓋と、
この裏蓋の前記取付調整部に取り付けられるバンド取付部を有する時計バンドと、
この時計バンドを前記取付調整部に固定する固定部材と、
を備えていることを特徴とする腕時計のバンド取付構造。
【請求項２】
前記取付調整部は、前記裏蓋の両側に一対の取付片がそれぞれ設けられ、この一対の取付片に互いに対向した状態で複数の調整孔が前記裏蓋の中心側から外側に向けて所定間隔で設けられた構成であり、
前記時計バンドは、前記バンド取付部が前記取付調整部の前記一対の取付片間に配置され、このバンド取付部に前記複数の調整孔のうち、互いに対向するいずれの調整孔に対応する１つの取付孔が設けられた構成であることを特徴とする請求項１に記載の腕時計のバンド取付構造。
【請求項３】
前記固定部材は、筒部材の両側に係合突起が出没可能に設けられたばね棒であり、前記筒部材が前記時計バンドの前記バンド取付部に設けられた前記取付孔に挿入された状態で、両側の前記係合突起が前記複数の調整孔のうち、互いに対向するいずれの調整孔に挿入することにより、前記バンド取付部を前記取付調整部に固定することを特徴とする請求項２に記載の腕時計のバンド取付構造。
【請求項４】
前記時計バンドは、バンド本体と、前記バンド取付部である先カンカバーとを備え、この先カンカバーに前記バンド本体が挿入するバンド挿入孔が設けられ、前記バンド本体が前記裏蓋の一方側に位置する前記取付調整部に取り付けられた前記先カンカバーの前記バンド挿入孔を通り、前記裏蓋の下面側を経て、他方側に位置する前記取付調整部に取り付けられた前記先カンカバーの前記バンド挿入孔に連続して挿入することを特徴とする請求項１〜請求項３のいずれかに記載の腕時計のバンド取付構造。
【発明の詳細な説明】
【技術分野】
【０００１】
この発明は、腕時計に時計バンドを取り付けるための腕時計のバンド取付構造に関する。
【背景技術】
【０００２】
一般に、腕時計のバンド取付構造は、腕時計ケースにバンド取付部を一体的に設け、このバンド取付部に時計バンドをばね棒によって取り付け、この状態で腕時計を腕に時計バンドで取り付けるように構成されている。このような腕時計のバンド取付構造では、腕時計ケースやバンド取付部が合成樹脂で形成されていると、ばね棒によって時計バンドをバンド取付部に取り付けた際、ばね棒の係合突起がバンド取付部から外れ易いという問題がある。
【０００３】
そこで、従来の腕時計のバンド取付構造においては、特許文献１に記載されているように、腕時計ケースの裏面に取り付けられる金属製の裏蓋にバンド取付部を形成し、このバンド取付部に時計バンドをばね棒で取り付けるように構成したものが知られている。
【特許文献１】実開昭６３−１１５３１７
【発明の開示】
【発明が解決しようとする課題】
【０００４】
このような従来の腕時計のバンド取付構造では、腕時計ケースが合成樹脂であっても、時計バンドを裏蓋のバンド取付部にばね棒で確実に取り付けることができるが、バンド取付部が裏蓋の両側における一定の位置に設けられているため、腕時計ケースに対する時計バンドの取付位置を変更することができない。
【０００５】
このため、腕時計を腕に取り付けた際に、腕の細い人の場合にはバンド取付部と腕との間に隙間が生じ、逆に腕の太い人の場合にはバンド取付部が腕に食い込むため、腕の太さに応じて腕時計を腕に良好に取り付けることができず、腕の太さによって腕に対する腕時計のフィット性が異なるという問題があった。
【０００６】
この発明が解決しようとする課題は、腕時計ケースが合成樹脂製であっても、確実に時計バンドを取り付けることができると共に、腕の太さに係わらず、フィット性の良い腕時計のバンド取付構造を提供することである。
【課題を解決するための手段】
【０００７】
この発明は、上記課題を解決するために、次のような構成要素を備えている。
請求項１に記載の発明は、腕時計ケースと、この腕時計ケースの裏面に取り付けられ、且つ両側に取付位置が調節可能な取付調整部が設けられた金属製の裏蓋と、この裏蓋の前記取付調整部に取り付けられるバンド取付部を有する時計バンドと、この時計バンドを前記取付調整部に固定する固定部材と、を備えていることを特徴とする腕時計のバンド取付構造である。
【０００８】
請求項２に記載の発明は、前記取付調整部が、前記裏蓋の両側に一対の取付片をそれぞれ設け、この一対の取付片に互いに対向した状態で複数の調整孔を前記裏蓋の中心側から外側に向けて所定間隔で設けた構成であり、
前記時計バンドは、前記バンド取付部を前記取付調整部の前記一対の取付片間に配置し、このバンド取付部に複数の調整孔のうち、互いに対向するいずれの調整孔に対応する１つの取付孔を設けた構成であることを特徴とする請求項１に記載の腕時計のバンド取付構造である。
【０００９】
請求項３に記載の発明は、前記固定部材が、筒部材の両側に係合突起を出没可能に設けたばね棒であり、前記筒部材が前記時計バンドの前記バンド取付部に設けられた前記取付孔に挿入された状態で、両側の前記係合突起が前記複数の調整孔のうち、互いに対向するいずれの調整孔に挿入することにより、前記バンド取付部を前記取付調整部に固定することを特徴とする請求項２に記載の腕時計のバンド取付構造である。
【００１０】
請求項４に記載の発明は、前記時計バンドが、バンド本体と、前記バンド取付部である先カンカバーとを備え、この先カンカバーに前記バンド本体が挿入するバンド挿入孔が設けられ、前記バンド本体が前記裏蓋の一方側に位置する前記取付調整部に取り付けられた前記先カンカバーの前記バンド挿入孔を通り、前記裏蓋の下面側を経て、他方側に位置する前記取付調整部に取り付けられた前記先カンカバーの前記バンド挿入孔に連続して挿入することを特徴とする請求項１〜請求項３のいずれかに記載の腕時計のバンド取付構造である。
【発明の効果】
【００１１】
この発明によれば、裏蓋の取付調整部に対する時計バンドのバンド取付部の取付位置を使用者の腕の太さに応じて調整して、裏蓋の取付調整部にバンド取付部を固定部材で取り付けることができるので、腕時計ケースが合成樹脂製であっても、時計バンドを腕時計ケースに対して確実に取り付けることができると共に、腕の太さに係わらず、フィット性の良いものを得ることができる。
【発明を実施するための最良の形態】
【００１２】
以下、図１〜図７を参照して、この発明を適用した腕時計のバンド取付構造の一実施形態について説明する。
この腕時計は、図１および図２に示すように、合成樹脂製の腕時計ケース１を備えている。この腕時計ケース１の上側開口部には、図２に示すように、時計ガラス２が取り付けられている。
【００１３】
また、この腕時計ケース１の下面には、図１〜図４に示すように、金属製の裏蓋３がビス３ａによって取り付けられており、この腕時計ケース１における３時側と９時側の各側面には、図１〜図４に示すように、複数の押釦スイッチ４がそれぞれ設けられている。なお、この腕時計ケース１の内部には、時計モジュール（図示せず）が設けられている。
【００１４】
ところで、裏蓋３の１２時側と６時側との両側部には、図１〜図４に示すように、時計バンド５の取付位置が調節可能な取付調整部６が設けられている。この取付調整部６は、裏蓋３の１２時側と６時側との両側部にそれぞれ設けられた一対の取付片７と、この一対の取付片７に互いに対向した状態で裏蓋３の中心側から外側に向けて所定間隔で設けられた第１〜第３の各調整孔８ａ〜８ｃとを備えている。
【００１５】
この場合、一対の取付片７は、図２および図４に示すように、裏蓋３の両側の各端部から外側に向けてそれぞれ突出し、この突出した部分の両側が下側に向けてそれぞれ折り曲げられ、この折り曲げられた両側部分が互いに対向するように構成されている。これにより、この互いに対向する一対の取付片７には、それぞれ第１〜第３の各調整孔８ａ〜８ｃが互いに対向して設けられている。
【００１６】
この第１〜第３の各調整孔８ａ〜８ｃのうち、第１調整孔８ａは、図２および図５に示すように、裏蓋３の中心側に最も近い位置に設けられている。また、第２調整孔８ｂは、図２および図６に示すように、第１調整孔８ａよりも、裏蓋３の中心側から外側に向けて少し離れた中間位置に設けられている。さらに、第３調整孔８ｃは、図２および図７に示すように、裏蓋３の中心側から外側に向けて最も離れた位置に設けられている。
【００１７】
時計バンド５は、図１および図２に示すように、布や樹脂などからなる帯状のバンド本体５ａと、裏蓋３の取付調整部６に取り付けられるバンド取付部である先カンカバー９とを備え、この先カンカバー９がばね棒１０によって取付調整部６に取り付けられるように構成されている。この場合、先カンカバー９は、図２に示すように、取付調整部６の一対の取付片７間に配置され、この状態で第１〜第３の各調整孔８ａ〜８ｃのうち、互いに対向するいずれの調整孔（図５では裏蓋３の中心側に最も近い位置の第１調整孔８ａ）に対応する１つの取付孔１１が設けられた構成になっている。
【００１８】
また、この先カンカバー９には、バンド本体５ａが挿入するバンド挿入孔９ａが設けられている。これにより、時計バンド５は、バンド本体５ａが裏蓋３の一方側に位置する取付調整部６に取り付けられた先カンカバー９のバンド挿入孔９ａを通り、このバンド本体５ａが裏蓋３の下面側を通って、他方側に位置する取付調整部６に取り付けられた先カンカバー９のバンド挿入孔９ａに連続して挿入することにより、裏蓋３の両側に位置する各先カンカバー９に連続して取り付けられるように構成されている。
【００１９】
ばね棒１０は、図２に示すように、パイプ形状に形成された金属製の筒部材１２の内部にコイルばね（図示せず）が設けられ、このコイルばねのばね力によって筒部材１２内の両側に金属製の係合突起１３が出没可能に設けられた構成になっている。これにより、ばね棒１０は、筒部材１２が時計バンド５における先カンカバー９の取付孔１１に挿入され、この状態で両側の係合突起１３が取付調整部６の第１〜第３の各調整孔８ａ〜８ｃのうち、互いに対向するいずれの調整孔（例えば、図５では裏蓋３の中心側に最も近い位置の第１調整孔８ａ）に挿入することにより、先カンカバー９を取付調整部６に固定するように構成されている。
【００２０】
次に、このような時計バンド５を裏蓋３の取付調整部６に取り付けて使用する場合について説明する。
この場合には、予め、腕時計ケース１の上側開口部に時計ガラス２を取り付けると共に、この腕時計ケース１の内部に時計モジュール（図示せず）を収納し、この状態で腕時計ケース１の下面に裏蓋３をビス３ａによって取り付ける。このときには、裏蓋３の両側の取付調整部６を腕時計ケース１の１２時側と６時側とに対応させて取り付ける。
【００２１】
そして、この裏蓋３の取付調整部６に時計バンド５の先カンカバー９を取り付ける前に、まず、先カンカバー９の取付孔１１にばね棒１０を取り付ける。このときには、ばね棒１０の筒部材１２をバンド取付部材５の取付孔１１に挿入させて、筒部材１２の両側の係合突起１３を取付孔１１の両側に突出させる。この状態で、時計バンド５の先カンカバー９を裏蓋３の取付調整部６にばね棒１０で取り付ける。
【００２２】
このときには、使用者の腕の太さに応じて、取付調整部６の一対の取付片７に互いに対向して設けられた第１〜第３の各調整孔８ａ〜８ｃに対して、時計バンド５の先カンカバー９に取り付けられたばね棒１０の取付位置を調整する。例えば、使用者の腕が細い場合には、図２および図５に示すように、一対の取付片７に互いに対向して設けられた第１〜第３の各調整孔８ａ〜８ｃのうち、裏蓋３の中心側に最も近い位置の第１調整孔８ａにばね棒１０の係合突起１３を挿入させる。
【００２３】
これにより、時計バンド５の先カンカバー９が裏蓋３の取付調整部６にばね棒１０によって取り付けられる。このときには、取付調整部６の一対の取付片７に互いに対向して設けられた第１〜第３の各調整孔８ａ〜８ｃのうち、裏蓋３の中心側に最も近い位置の第１調整孔８ａにばね棒１０の係合突起１３が挿入していることにより、図５に示すように、時計バンド５の先カンカバー９が裏蓋３の中心側に最も偏った位置に取り付けられる。
【００２４】
このため、時計バンド５で腕時計ケース１を使用者の腕に取り付けると、使用者の腕が細ければ、時計バンド５の先カンカバー９と腕との間に隙間が生じ生じたり、また時計バンド５の先カンカバー９が腕に食い込んだりせずに、腕時計ケース１を腕にフィットさせて良好に取り付けることができる。
【００２５】
また、使用者の腕の太さが細くも太くもない普通の太さの場合には、図２および図６に示すように、一対の取付片７に互いに対向して設けられた第１〜第３の各調整孔８ａ〜８ｃのうち、取付片７の中間に位置する第２調整孔８ｂにばね棒１０の係合突起１３を挿入させる。これにより、時計バンド５の先カンカバー９が裏蓋３の取付調整部６にばね棒１０によって取り付けられる。
【００２６】
このときには、取付調整部６の一対の取付片７に互いに対向して設けられた第１〜第３の各調整孔８ａ〜８ｃのうち、図６に示すように、取付片７の中間に位置する第２調整孔８ｂにばね棒１０の係合突起１３が挿入していることにより、時計バンド５の先カンカバー９が取付調整部６の中間位置に取り付けられる。
【００２７】
このため、時計バンド５で腕時計ケース１を使用者の腕に取り付けると、使用者の腕が普通の太さであれば、時計バンド５の先カンカバー９と腕との間に隙間が生じたり、また時計バンド５の先カンカバー９が腕に食い込んだりせずに、腕時計ケース１を腕にフィットさせて良好に取り付けることができる。
【００２８】
さらに、使用者の腕が太い場合には、図２および図７に示すように、一対の取付片７に互いに対向して設けられた第１〜第３の各調整孔８ａ〜８ｃのうち、裏蓋３の中心側から外側に向けて最も離れた位置の第３調整孔８ｃにばね棒１０の係合突起１３を挿入させる。これにより、時計バンド５の先カンカバー９が裏蓋３の取付調整部６にばね棒１０によって取り付けられる。
【００２９】
このときには、取付調整部６の一対の取付片７に互いに対向して設けられた第１〜第３の各調整孔８ａ〜８ｃのうち、裏蓋３の中心側から外側に向けて最も離れた位置の第３調整孔８ｃにばね棒１０の係合突起１３が挿入していることにより、図７に示すように、時計バンド５の先カンカバー９が裏蓋３の中心側から外側に向けて最も離れた状態で取付調整部６に取り付けられる。
【００３０】
このため、時計バンド５で腕時計ケース１を使用者の腕に取り付けると、使用者の腕が太ければ、時計バンド５の先カンカバー９が腕に食い込んだりせず、また時計バンド５の先カンカバー９と腕との間に隙間が生じたりせずに、腕時計ケース１を腕にフィットさせて良好に取り付けることができる。
【００３１】
このように、この腕時計のバンド取付構造によれば、腕時計ケース１の裏面に取り付けられた裏蓋３の両側に、時計バンド５における先カンカバー９の取付位置が調節可能な取付調整部６を設け、この取付調整部６に先カンカバー９の取付位置を調整してばね棒１０によって固定するので、裏蓋３に対する時計バンド５の取付位置を使用者の腕の太さに応じて調整することができる。
【００３２】
このため、使用者の腕の太さが細くても太くても、裏蓋３に対する時計バンド５の取付位置を調整することにより、腕時計ケース１を腕に良好に取り付けることができるので、腕の太さに係わらず、フィット性の良いものを得ることができるほか、金属製の裏蓋３に取付調整部６を設けているので、腕時計ケース１が合成樹脂製であっても、金属製の裏蓋３に時計バンド５の先カンカバー９を確実に且つ強固に取り付けることができ、これにより時計バンド５を腕時計ケース１に対して確実に且つ強固に取り付けることができる。
【００３３】
この場合、裏蓋３の取付調整部６は、裏蓋３の両側に一対の取付片７がそれぞれ設けられ、この一対の取付片７に互いに対向した状態で第１〜第３の各調整孔８ａ〜８ｃが裏蓋３の中心側から外側に向けて所定間隔で設けられた構成であり、時計バンド５は、先カンカバー９が一対の取付片７間に配置され、この先カンカバー９に第１〜第３の各調整孔８ａ〜８ｃのうち、互いに対向するいずれの調整孔に対応する１つの取付孔１１が設けられた構成であるから、裏蓋３に対する先カンカバー９の取付位置を使用者の腕の太さに応じて３段階に調整することができる。
【００３４】
また、ばね棒１０は、パイプ形状に形成された金属製の筒部材１２の両側に係合突起１３が出没可能に設けられた構成で、筒部材１２が時計バンド５における先カンカバー９の取付孔１１に挿入された状態で、両側の係合突起１３が取付調整部６の第１〜第３の各調整孔８ａ〜８ｃのうち、互いに対向するいずれの調整孔に挿入することにより、時計バンド５の先カンカバー９を取付調整部６に固定するので、使用者の腕の太さに応じて裏蓋３に対する時計バンド５の取付位置を３段階に調整して、確実に時計バンド５の先カンカバー９を取付調整部６に固定することができる。
【００３５】
さらに、時計バンド５は、バンド本体５ａと、先カンカバー９とを備え、この先カンカバー９にバンド本体５ａが挿入するバンド挿入孔９ａが設けられ、バンド本体５ａが裏蓋３の一方側に位置する取付調整部６に取り付けられた先カンカバー９のバンド挿入孔９ａを通り、そのバンド本体５ａが裏蓋３の下面側を経て、さらに他方側に位置する取付調整部６に取り付けられた先カンカバー９のバンド挿入孔９ａに連続して挿入するので、バンド本体５ａを裏蓋３の両側に位置する各先カンカバー９に連続させて取り付けることができる。
【００３６】
なお、上記実施形態では、固定部材として、ばね棒１０を用いた場合について述べたが、これに限らず、ピンなどの棒状部材を用いても良い。この場合には、裏蓋３の取付調整部６における一方側の取付片７の外側から、ピンなどの棒状部材を第１〜第３の各調整孔８ａ〜８ｃのうち、互いに対向するいずれの調整孔に挿入して、先カンカバー９の取付孔１１に挿入させ、この挿入したピンなどの棒状部材を更に他方側の取付片７の調整孔に挿入すれば良い。
【００３７】
また、固定部材は、これに限らず、ビスなどのねじ部材を用いて、先カンカバー９を裏蓋３の取付調整部６に取り付けるように構成しても良い。この場合には、時計バンド５における先カンカバー９の取付孔１１内に金属製のパイプを埋め込み、このパイプ内に雌ねじを設け、このパイプ内の雌ねじにビスなどのねじ部材を螺着するように構成すれば良い。
【００３８】
また、上記実施形態では、時計バンドとして、バンド本体５ａと先カンカバー９とを有する時計バンド５について述べたが、これに限らず、金属またが合成樹脂からなる通常の時計バンドにも適用することができる。この場合の時計バンドは、バンド本体の端部にバンド取付部を一体に設け、このバンド取付部にばね棒１０が挿入する取付孔を設けた構成であれば良い。
【図面の簡単な説明】
【００３９】
【図１】この発明を適用した腕時計の一実施形態において裏面側から見た拡大斜視図である。
【図２】図１の腕時計を上面側から見た分解斜視図である。
【図３】図１の腕時計において時計バンドを取り外した状態の拡大斜視図である。
【図４】図３の腕時計を斜め下の側方から見た斜視図である。
【図５】図２の状態において時計バンドの先カンカバーを取付調整部における裏蓋の中心側に最も近い位置の第１調整孔にばね棒で取り付けられた状態を示した側面図である。
【図６】図２の状態において時計バンドの先カンカバーを取付調整部の中間に位置する第２調整孔にばね棒で取り付けられた状態を示した側面図である。
【図７】図２の状態において時計バンドの先カンカバーを取付調整部における裏蓋から外側に向けて最も離れた位置の第３調整孔にばね棒で取り付けられた状態を示した側面図である。
【符号の説明】
【００４０】
１  腕時計ケース
３  裏蓋
５  時計バンド
５ａ  バンド本体
６  取付調整部
７  一対の取付片
８ａ〜８ｃ  第１〜第３の各調整孔
９  先カンカバー
１０  ばね棒
１１  取付孔
１２  筒部材
１３  係合突起
【図１】
2010035797.tif 000003
【図２】
2010035797.tif 000004
【図３】
2010035797.tif 000005
【図４】
2010035797.tif 000006
【図５】
2010035797.tif 000007
【図６】
2010035797.tif 000008
【図７】
2010035797.tif 000009